(57)【特許請求の範囲】
【請求項１】
被管理物に取付けられる付属具と、前記付属具に着脱自在な管理具とを備え、前記付属具と前記管理具とが連結されているか否かを確認することで前記被管理物の管理を可能とする管理装置であって、
前記付属具は、前記管理具及び前記被管理物に着脱自在な１つの連結手段を備え、
前記管理具及び前記被管理物は、それぞれ、前記付属具の連結手段に連結可能であり、かつ互いに連結不能な連結手段を備え、
前記管理具を前記被管理物に連結不能であるとともに、前記付属具と前記管理具とが連結した状態で前記付属具及び前記管理具を前記被管理物に連結不能であることを特徴とする管理装置。
【請求項２】
前記付属具、前記管理具、前記被管理物の連結手段は、ツイストロック構造であり、
前記付属具の連結手段が雄側、前記管理具、前記被管理物の連結手段が雌側である、又は前記付属具の連結手段が雌側、前記管理具、前記被管理物の連結手段が雄側であることを特徴とする請求項１に記載の管理装置。
【請求項３】
前記付属具及び前記管理具は、さらに互いが一対一で関連付けられていることを確認可能な識別手段を備えることを特徴とする請求項１又は２に記載の管理装置。
【請求項４】
前記被管理物は、配電線に取付けられる接地短絡器具であり、
前記接地短絡器具の管理に用いられることを特徴とする請求項１から３のいずれか１項に記載の管理装置。
【請求項５】
前記付属具は、暗所において視認可能に、点灯する照明手段を備えることを特徴とする請求項１から４のいずれか１項に記載の管理装置。
【請求項６】
前記付属具は、さらに前記照明手段の点灯と消灯とを切替える切替手段を備え、
前記切替手段及び前記管理具は、前記付属具が前記管理具から分離しているときには、常時、前記照明手段を点灯させ、前記付属具が前記管理具に連結しているときのみ前記照明手段を消灯させるように構成されていることを特徴とする請求項５に記載の管理装置。
【請求項７】
請求項１から６のいずれか１項に記載の管理装置を使用して複数の前記被管理物の管理を行う管理方法であって、
前記被管理物の使用又は操作前において、一対一で関連付けられた前記付属具及び前記管理具が連結された状態の前記管理装置を前記被管理物と同数、互いに識別可能に用意し、各被管理物を互いに異なる一対の前記管理装置に関連付け、各被管理物に関連付けられた一対の前記管理装置と各被管理物の使用場所又は操作場所とを関連付けて記録し、
前記被管理物の使用又は操作時において、前記付属具を前記管理具から取外し、前記付属具を前記被管理物に連結し、
前記被管理物の回収又は復旧操作時において、前記付属具を前記被管理物から取外し、前記付属具を対となる前記管理具に連結し、
前記被管理物の回収又は復旧操作後において、各管理具に対となる各付属具が連結されているか否かを確認することを含み、
使用場所又は操作場所単位で各被管理物の回収又は復旧操作が完了したか否かを管理可能であることを特徴とする管理方法。
【発明の詳細な説明】
【技術分野】
【０００１】
本発明は、被管理物の管理を可能とする管理装置及び管理方法に関する。
【背景技術】
【０００２】
高圧配電線の停電作業時には、予期しない電気の流入を防止し作業者を感電から守るべく、配電線に接地短絡措置を施すことが法律で定められており、操作棒を用いた間接活線作業にて配電線に接地短絡器具を取付けている。停電作業後には、接地短絡器具を配電線から撤去（回収）するが、接地短絡器具を撤去し忘れ、接地短絡器具が配電線に取付けられたままの状態で送電を行うと、電線間の短絡により停電事故が発生するとともに、機械的損傷を被るため、接地短絡器具を確実に撤去する必要がある。
【０００３】
接地短絡器具は、例えば、樹枝状配電線では１箇所に取付けられ、ループ状配電線では２箇所以上に取付けられる。接地短絡器具を複数箇所へ取付けた場合には、全ての接地短絡器具の撤去し忘れを防止すべく、停電作業後に撤去した接地短絡器具の数とその場所を確認している。従来は、接地短絡器具の取付及び撤去のチェック欄が設けられた高圧停電作業手続書にチェックを記すだけの管理となっており、接地短絡器具の撤去し忘れを確実に防止するには十分ではなかった。
【０００４】
また接地短絡器具の撤去し忘れを防止すべく、発光部又は鳴動部から成る警報手段と、警報手段の電源とを備える接地短絡器具が提案されている（例えば特許文献１参照）。
【先行技術文献】
【特許文献】
【０００５】
【特許文献１】特開２００８−１３０２９７号公報
【発明の概要】
【発明が解決しようとする課題】
【０００６】
特許文献１に記載の接地短絡器具は、発光又は鳴動するので、配電線に取付けられていることを容易に確認することは可能であるが、撤去し忘れを確実に防止するという点では十分ではなかった。また接地短絡器具に限らず、他の器具等においても原状復帰作業の失念を確実に防止可能な技術が望まれている。
【０００７】
本発明の目的は、被管理物の原状復帰作業の失念を確実に防止可能な管理装置及び管理方法を提供することである。
【課題を解決するための手段】
【０００８】
本発明は、被管理物に取付けられる付属具と、前記付属具に着脱自在な管理具とを備え、前記付属具と前記管理具とが連結されているか否かを確認することで前記被管理物の管理を可能とする管理装置であって、前記付属具は、前記管理具及び前記被管理物に着脱自在な１つの連結手段を備え、前記管理具及び前記被管理物は、それぞれ、前記付属具の連結手段に連結可能であり、かつ互いに連結不能な連結手段を備え、前記管理具を前記被管理物に連結不能であるとともに、前記付属具と前記管理具とが連結した状態で前記付属具及び前記管理具を前記被管理物に連結不能であることを特徴とする管理装置である。
また本発明において、前記付属具、前記管理具、前記被管理物の連結手段は、ツイストロック構造であり、前記付属具の連結手段が雄側、前記管理具、前記被管理物の連結手段が雌側である、又は前記付属具の連結手段が雌側、前記管理具、前記被管理物の連結手段が雄側であることを特徴とする。
【０００９】
また本発明において、前記付属具及び前記管理具は、さらに互いが一対一で関連付けられていることを確認可能な識別手段を備えることを特徴とする。
【００１１】
また本発明において、前記被管理物は、配電線に取付けられる接地短絡器具であり、本発明は、前記接地短絡器具の管理に用いられることを特徴とする。
【００１２】
また本発明において、前記付属具は、暗所において視認可能に、点灯する照明手段を備えることを特徴とする。
【００１３】
また本発明において、前記付属具は、さらに前記照明手段の点灯と消灯とを切替える切替手段を備え、前記切替手段及び前記管理具は、前記付属具が前記管理具から分離しているときには、常時、前記照明手段を点灯させ、前記付属具が前記管理具に連結しているときのみ前記照明手段を消灯させるように構成されていることを特徴とする。
【００１４】
また本発明は、前記管理装置を使用して複数の前記被管理物の管理を行う管理方法であって、前記被管理物の使用又は操作前において、一対一で関連付けられた前記付属具及び前記管理具が連結された状態の前記管理装置を前記被管理物と同数、互いに識別可能に用意し、各被管理物を互いに異なる一対の前記管理装置に関連付け、各被管理物に関連付けられた一対の前記管理装置と各被管理物の使用場所又は操作場所とを関連付けて記録し、前記被管理物の使用又は操作時において、前記付属具を前記管理具から取外し、前記付属具を前記被管理物に連結し、前記被管理物の回収又は復旧操作時において、前記付属具を前記被管理物から取外し、前記付属具を対となる前記管理具に連結し、前記被管理物の回収又は復旧操作後において、各管理具に対となる各付属具が連結されているか否かを確認することを含み、使用場所又は操作場所単位で各被管理物の回収又は復旧操作が完了したか否かを管理可能であることを特徴とする管理方法である。
【発明の効果】
【００１５】
本発明によれば、付属具が、管理具との着脱、及び被管理物との着脱を同じ連結手段で行うので、例えば、管理具を連結したまま付属具を被管理物に取付けてしまう等の管理上の手違いが発生する恐れがなく、付属具と管理具とが連結されているか否かを確認すれば、付属具が被管理物に連結されているか否か、つまり被管理物の原状復帰が行われたか否かを確実に管理することができる。
【図面の簡単な説明】
【００１６】
【図１】本発明の第１実施形態である管理装置１の正面図である。
【図２】図１の管理装置１の管理具１１の平面図及び正面図である。
【図３】図１の管理装置１の付属具１２の正面図である。
【図４】図３の付属具１２と接地短絡器具５１とを連結した状態の正面図である。
【図５】図１の管理装置１を用いた接地短絡措置の実施例を示す斜視図である。
【図６】本発明の第２実施形態である管理装置２の正面図である。
【図７】本発明の第３実施形態である管理装置３の正面図である。
【発明を実施するための形態】
【００１７】
図１は、本発明の第１実施形態である管理装置１の正面図である。図２（ａ）は、図１の管理装置１の管理具１１の平面図、図２（ｂ）は、図１の管理装置１の管理具１１の正面図である。図３は、図１の管理装置１の付属具１２の正面図である。図４は、図３の付属具１２と接地短絡器具５１とを連結した状態の正面図である。図５は、図１の管理装置１を用いた接地短絡措置の実施例を示す斜視図である。なお図５では、付属具１２、接地短絡器具５１の構成要素の符号を省略している。
【００１８】
本発明の第１実施形態である管理装置１は、高所に架設された配電線７１に取付けられ接地短絡措置を施す接地短絡器具５１の管理に用いられる管理装置であって、作業責任者が管理する管理具１１と、管理具１１及び接地短絡器具５１に着脱自在な付属具１２とを備える。管理装置１の付属具１２は、被管理物である接地短絡器具５１の使用時には接地短絡器具５１に連結され、接地短絡器具５１の撤収後には取外されて管理具１１に連結される。これにより管理具１１と付属具１２とが連結されているか否かを作業責任者が確認することで、接地短絡器具５１の管理を可能とする。
【００１９】
管理具１１は、付属具１２に着脱自在に連結される連結手段としての雌側ツイストロック部２１と、雌側ツイストロック部２１の上部に設けられる持ち手２２とを備える。
【００２０】
雌側ツイストロック部２１は、いわゆるツイストロック構造の雌側であり、付属具１２の先端（雄側ツイストロック部３１）を挿入可能に、底面が開口した円筒状に形成されており、付属具１２の先端に設けられた一対のピン４１を係合させる一対の略Ｔ字状の係合溝２３を側面に備える。また雌側ツイストロック部２１は、付属具１２が管理具１１に連結されたときに、後述する付属具１２のオンオフスイッチ４３が押し込まれるように天井面の高さが決められている。
【００２１】
持ち手２２は、円柱体であり、上面に管理番号（図面では数字の３）２４が付されている。
【００２２】
管理番号２４は、管理具１１と一対一で関連付けられた付属具１２を識別する識別手段として機能すべく、管理具１１と一対一で関連付けられた付属具１２の管理番号４４の数字と同一の数字となっている。管理番号２４（４４）は、複数の管理装置１を識別可能に、それぞれの管理装置１に異なる数字が連番で用いられている。
【００２３】
付属具１２は、管理具１１及び接地短絡器具５１に着脱自在に連結される連結手段としての雄側ツイストロック部３１と、雄側ツイストロック部３１の下部に設けられ持ち手となる円筒体の筒部３２と、筒部３２の下部に設けられ接地短絡措置が施されていることを表示する表示部３３とを備える。
【００２４】
雄側ツイストロック部３１は、いわゆるツイストロック構造の雄側であり、管理具１１の雌側ツイストロック部２１及び後述する接地短絡器具５１の雌側ツイストロック部５２の係止溝２３、５５に係止するピン４１と、連結後に付属具１２が管理具１１又は接地短絡器具５１から不意に外れることを防止する締付部４２と、後述する表示部３３のＬＥＤランプ４６の点灯と消灯とを切替える切替手段としてのオンオフスイッチ４３とを備える。雄側ツイストロック部３１は、側面にピン４１、下部に締付部４２、先端にオンオフスイッチ４３を備える。
【００２５】
雄側ツイストロック部３１を雌側ツイストロック部２１（５２）に連結させる際には、ピン４１を係合溝２３（５５）に嵌め込んで仮固定を行い、締付部４２を回転させて雌側ツイストロック部２１（５２）に締め付けることで確実に固定を行う。
【００２６】
オンオフスイッチ４３は、押し込まれた状態でＬＥＤランプ４６を消灯させ、押し込まれていない状態でＬＥＤランプ４６を点灯させるように構成されている。オンオフスイッチ４３は、例えば、プッシュスイッチ等、公知のものを用いればよい。
【００２７】
表示部３３は、正面視において下向きの矢印状に形成された箱体であり、正面及び裏面に、管理番号（図面では数字の３）４４と、接地短絡措置が施されていることを示すアース表示４５と、暗所における視認性を高めるべく、アース表示４５上に配設されたＬＥＤランプ４６とを備える。
【００２８】
管理番号４４は、付属具１２と一対一で関連付けられた管理具１１の管理番号２４の数字と同一の数字となっている。
【００２９】
アース表示４５は、アースマーク様の記号を表示部３３に付したものである。なおアース表示４５は、特定の記号に限定されるものではなく、用途や視認性を考慮し適宜決めればよい。
【００３０】
ＬＥＤランプ４６は、複数個のＬＥＤを発光素子とする照明手段であり、アース表示４５上に点在するように配設され、筒部３２又は表示部３３内に収納されている図示しない電池等の電源により点灯する。またＬＥＤランプ４６は、付属具１２内に収納されている図示しない電気配線により、オンオフスイッチ４３に接続されており、オンオフスイッチ４３が押し込まれた状態で消灯し、オンオフスイッチ４３が押し込まれていない状態で点灯する。
【００３１】
接地短絡器具５１は、付属具１２に着脱自在に連結される連結手段としての雌側ツイストロック部５２と、雌側ツイストロック部５２の上部に設けられ持ち手となるグリップ部５３と、グリップ部５３の上部に設けられ配電線７１を把持する配電線把持部５４とを備える。なお接地短絡器具５１は、雌側ツイストロック部５２を備える公知の接地短絡器具を用いることができる。
【００３２】
雌側ツイストロック部５２は、係合溝５５を備える、いわゆるツイストロック構造の雌側であり、管理具１１の雌側ツイストロック部２１と略同一の構造であるが、付属具１２の雄側ツイストロック部３１を連結させたときに付属具１２のオンオフスイッチ４３が押し込まれないように、天井面の高さが決められている。
【００３３】
配電線把持部５４は、円筒状の回転部５６と、回転部５６の上部に設けられた固定把持金具５７と、固定把持金具５７に回動自在に設けられた可動把持金具５８とを備え、接地線６１を接続する接地線取付部５９を固定把持金具５７に備える。配電線把持部５４は、回転部５６を回転させることで可動把持金具５８を回動させ、可動把持金具５８と固定把持金具５７とで配電線７１を把持する。
【００３４】
接地短絡器具５１は、本実施形態の管理装置１の使用例において、３線の配電線７１の１線に１つずつ取付けられる。このため接地短絡措置を施す１地点ごとに、３つの接地短絡器具５１が使用される。それぞれの接地短絡器具５１に接続される３本の接地線６１は、途中で１本にまとめられ、図示しない接地金具が末端に接続されており、該接地金具を介して配電線７１に接地短絡措置を施す。
【００３５】
次に３線の配電線７１に接地短絡措置を施し、停電作業を行う場合を例として、本実施形態の管理装置１の使用方法について説明する。管理装置１は、同一の管理番号２４、４４が付された管理具１１と付属具１２とが連結された状態で保管されている。停電作業を行う際の作業責任者は、高圧配電線停電手続書（図示省略）を携帯しており、高圧配電線停電手続書には、使用する接地短絡器具５１の管理番号、取付場所が一組毎に記載されている。
【００３６】
作業責任者は、高圧配電線停電手続書に記載された接地短絡器具５１の管理番号と同一の管理番号２４、４４が付された管理装置１を用意する。作業責任者は、管理具１１から付属具１２を取外し、接地短絡措置を行う作業者に、該作業者が使用する接地短絡器具５１の管理番号と同じ管理番号４４が付された付属具１２を渡す。管理具１１は、作業責任者が管理する。なお管理具１１から付属具１２を取外すと、付属具１２のＬＥＤランプ４６が点灯する。
【００３７】
作業者は、停電後に接地短絡器具５１を配電線７１へ取付けることで接地短絡措置を施す。接地短絡措置後、作業者は、作業責任者から受け取った付属具１２を接地短絡器具５１に連結させる。なお付属具１２を接地短絡器具５１に連結させる作業は、接地短絡措置後なので、普通手袋を嵌めて手作業で行うことができる。
【００３８】
接地短絡器具５１は、３線の配電線７１に１つずつ取付けられるが、前述したように接地線６１により一組にまとまっている。このため付属具１２は、３つのうちのいずれか１つの接地短絡器具５１に取付ければよい。
【００３９】
接地短絡措置後の停電作業が完了すると、作業者は、接地短絡器具５１及び付属具１２を配電線７１から撤去する。また作業者は、付属具１２を接地短絡器具５１から取外し、付属具１２を作業責任者に返却する。
【００４０】
作業責任者は、作業者から受け取った付属具１２の管理番号４４を確認し、管理番号２４が同一の管理具１１に連結させる。これにより作業責任者は、連結された管理具１１及び付属具１２の管理番号２４、４４と同一の管理番号の接地短絡器具５１が、高圧配電線停電手続書に記載されている取付場所の配電線７１から撤去されたことを確認する。なお付属具１２を管理具１１に連結させると、付属具１２のＬＥＤランプ４６が消灯する。
【００４１】
最終的に作業責任者は、全ての管理具１１に付属具１２が連結されていることを確認することで、使用した全ての接地短絡器具５１が配電線７１から撤去されたことを確認し、送電を再開する。
【００４２】
このように本実施形態の管理装置１を用いると、作業責任者は、管理具１１に付属具１２が連結されているか否かを確認するだけで、接地短絡器具５１が配電線７１から撤去されたか否かを確認することが可能であり、誤認等による接地短絡器具５１の撤去し忘れを防止することができる。
【００４３】
また本実施形態の管理装置１を用いると、付属具１２の管理具１１との連結及び接地短絡器具５１との連結を同一の雄側ツイストロック部３１で行うので、例えば、管理具１１に連結されたまま付属具１２を接地短絡器具５１に取付ける等の管理上の手違いが発生する恐れがなく、接地短絡器具５１の管理を確実に行うことが可能であり、停電作業後の送電を安全に行うことができる。
【００４４】
さらに高圧配電線停電手続書に記載された管理番号及び取付場所と、管理具１１と付属具１２とに付されている管理番号２４、４４とを一対一で関連付けることが可能であり、取付場所単位での管理も可能となる。
【００４５】
また本実施形態の管理装置１の付属具１２は、ＬＥＤランプ４６を備えるので、夜間等の暗所においても視認性が高い。またＬＥＤランプ４６は、オンオフスイッチ４３により、付属具１２が管理具１１から取外されると自ずと点灯し、再び管理具１１に連結されるまで点灯するので、点灯（消灯）し忘れる恐れがない。作業者は、アース表示４５及びＬＥＤランプ４６により、接地短絡措置が施されていることを容易に視認可能なので、安心して停電作業に集中することができる。
【００４６】
また本実施形態の管理装置１は、雌側ツイストロック部５２を備える一般的な接地短絡器具５１に着脱可能なので、接地短絡器具５１を一切改造することなく適用可能であるとともに、誰でも容易に着脱を行うことができる。また管理装置１は、シンプルな構造なので、持ち運びが容易である。
【００４７】
図６は、本発明の第２実施形態である管理装置２の正面図である。第１実施形態に示す管理装置１と同一の構成には、同一の符号を付して説明を省略する。第２実施形態の管理装置２は、第１実施形態の管理装置１と基本的構成は同じであるが、付属具８１が表示部３３に代えて、接地標示旗８２を備える。
【００４８】
接地標示旗８２は、公知の接地標示旗であり、筒部３２に穿設された孔（図示省略）に通される紐８３を備え、筒部３２の下方に紐８３を介して取付けられる。また管理番号４４は、筒部３２に付されているが、これに限定されるものではなく、接地標示旗８２に付されていてもよい。
【００４９】
本実施形態の管理装置２は、照明手段を有しないので、低コストで製造可能である。接地短絡措置を明るい場所で行う場合には、照明手段を有していなくても付属具８１の視認性を確保することができるので、本発明の管理装置は、必ずしも照明手段を有していなくてもよい。ただし接地標示旗８２は、風でなびくと作業時に邪魔になるので、作業性においては、第１実施形態の管理装置１の表示部３３の方が有利である。
【００５０】
図７は、本発明の第３実施形態である管理装置３の正面図である。第１実施形態に示す管理装置１と同一の構成には、同一の符号を付して説明を省略する。第３実施形態の管理装置３は、第１実施形態の管理装置１と基本的構成は同じであるが、付属具９１に、さらに雌側ツイストロック部９２を備える。
【００５１】
雌側ツイストロック部９２は、管理具１１及び接地短絡器具５１の雌側ツイストロック部２１、５２と同様、係合溝９３を備える、いわゆるツイストロック構造の雌側であり、間接活線作業で用いられる長尺な操作棒９５の雄側ツイストロック部９６に着脱自在に連結可能となっている。
【００５２】
本実施形態の管理装置３を用いると、付属具９１を接地短絡器具５１に連結した状態で付属具９１に操作棒９５を連結することで、付属具９１が連結された接地短絡器具５１の配電線７１への取付け、及び配電線７１からの取外しを間接活線作業で行うことが可能となり、安全性が高まる。
【００５３】
また本実施形態の管理装置３を用いると、付属具９１と接地短絡器具５１とが連結した状態で接地短絡器具５１を配電線７１から取外すことになるので、付属具９１のみを接地短絡器具５１から取外し、接地短絡器具５１を配電線７１から撤去し忘れるという事態を防止することができる。ただし接地短絡器具５１からの付属具１２の取外しと、配電線７１からの接地短絡器具５１の取外しとが同じタイミングで行われるので、このような事態が起こる可能性は低く、第１実施形態の管理装置１を用いる場合でも接地短絡器具５１の撤去し忘れを十分に防止可能である。
【００５４】
以上、第１から第３実施形態の管理装置１、２、３を用いて、本発明の管理装置及び管理方法を説明したが、本発明の管理装置及び管理方法は、上記実施形態に限定されるものではなく要旨を変更しない範囲で変形することができる。例えば、管理具と付属具、及び接地短絡器具と付属具との連結手段は、ツイストロック構造に限定されるものではなく、例えば、磁石を用いた連結手段やスナップフィット等の連結手段を用いることも可能である。
【００５５】
一対一で関連付けられた管理具と付属具とを識別する識別手段は、数字を用いた管理番号２４（４４）に限定されるものではなく、例えば、同一のアルファベットや記号、ひらがな等でもよく、一対一で関連付けられた管理具１１の持ち手２２と付属具１２の筒部３２とを同色にして色で識別するようにしてもよく、ＩＣタグ等を用いてもよい。
【００５６】
照明手段は、ＬＥＤを用いたＬＥＤランプ４６に限定されるものではなく、例えば、豆電球等を用いてもよい。また照明手段に代えて、鳴動する鳴動手段等を用いて接地短絡措置が施されていることを周知させるようにしてもよい。また照明手段は、低位置において全方向から視認可能に、表示部３３の全面に配置されていてもよい。
【００５７】
切替手段は、オンオフスイッチ４３のように付属具１２を管理具１１に着脱したときに自ずと入切されるように設置されていると、照明手段の点灯（消灯）し忘れを防止することができるので好ましいが、これに限定されるものではなく、手動で入切させるオンオフスイッチを用いてもよい。
【００５８】
また第１から第３実施形態の管理装置１、２、３では、被管理物を接地短絡器具５１として説明したが、本発明の管理装置及び管理方法は、接地短絡器具５１の管理に限定されるものではなく、例えば、配電線に一時的に取付けられる工具類の管理や発電所等で一時的に開閉されるバルブの管理等、作業後に原状復帰を行うことが必要な被管理物の管理に幅広く用いることができる。なお本発明の管理装置及び管理方法を接地短絡器具５１の管理とは別の用途に用いる場合には、被管理物に合わせて管理具及び付属具の連結手段を適宜決めればよい。
【００５９】
以上のとおり、図面を参照しながら好適な実施形態を説明したが、当業者であれば、本明細書を見て、自明な範囲内で種々の変更及び修正を容易に想定するであろう。従って、そのような変更及び修正は、請求の範囲から定まる発明の範囲内のものと解釈される。
【符号の説明】
【００６０】
１、２、３          管理装置
１１                管理具
１２、８１、９１    付属具
２１                雌側ツイストロック部（管理具）
２４                管理番号（管理具）
３１                雄側ツイストロック部
４３                オンオフスイッチ
４４                管理番号
４６                ＬＥＤランプ
５１                接地短絡器具
７１                配電線
９２                雌側ツイストロック部（付属具）
【図１】
0006013408.tif 000002
【図２】
0006013408.tif 000003
【図３】
0006013408.tif 000004
【図４】
0006013408.tif 000005
【図５】
0006013408.tif 000006
【図６】
0006013408.tif 000007
【図７】
0006013408.tif 000008